(57)【要約】【課題】  巻線機能を具えた受信器の提供。【解決手段】  少なくともコネクタと巻線装置を具え、該受信器内に無線信号を受信し並びにそれを転送する回路で構成された回路板を具え、該回路板は信号伝送線を通してプラグに接続され、該無線信号がプラグに接続された受信側に送られるようにする。該巻線装置は巻線ケース本体を具え、その内部に巻線カバーが設けられ、該巻線カバー内に渦形バネが収容され、該受信器の信号伝送線が巻線カバーの外周に繞設され、巻線装置内に信号伝送線が収納され、これにより信号伝送線の長さを調整して受信器放置位置を調整できるものとされる。【選択図】        図１
0003110632.tif 000002
【実用新案登録請求の範囲】
【請求項１】
回路板とプラグを具え、該回路板が無線信号を受信しそれを転送する回路で構成され、該プラグは信号伝送線を通して該回路板に接続され、無線信号をプラグに接続された受信側に転送する、受信器と、
巻線ケース本体を具え、その内部に巻線カバーが設けられ、該巻線カバー内に渦形バネが収容され、該受信器の信号伝送線が巻線カバーの外周表面に繞設された、巻線装置と、  を具え、該巻線装置が該信号伝送線を収納することにより、信号伝送線の長さを調整して受信器の放置位置を調整できることを特徴とする、巻線機能を具えた受信器。
【請求項２】
請求項１記載の巻線機能を具えた受信器において、受信器がケースを具え、該ケースが第１ケースと第２ケースが係合されてなることを特徴とする、巻線機能を具えた受信器。
【請求項３】
請求項１記載の巻線機能を具えた受信器において、プラグがＵＳＢプラグとされたことを特徴とする、巻線機能を具えた受信器。
【請求項４】
請求項１記載の巻線機能を具えた受信器において、プラグがＰＳ／２プラグとされたことを特徴とする、巻線機能を具えた受信器。
【請求項５】
請求項１記載の巻線機能を具えた受信器において、プラグがＩＥＥＥ１３９４プラグとされたことを特徴とする、巻線機能を具えた受信器。
【請求項６】
請求項１記載の巻線機能を具えた受信器において、巻線ケース本体が第１半部と第２半部で構成されたことを特徴とする、巻線機能を具えた受信器。
【請求項７】
請求項１記載の巻線機能を具えた受信器において、巻線ケース本体の両側に信号伝送線の両端を引き出すための線孔が設けられたことを特徴とする、巻線機能を具えた受信器。
【請求項８】
請求項１記載の巻線機能を具えた受信器において、巻線ケース本体の外周に切欠きが形成され、信号伝送線がこの切欠きを通過して巻線カバーの外周に繞設されることを特徴とする、巻線機能を具えた受信器。
【請求項９】
請求項１記載の巻線機能を具えた受信器において、渦形バネの一端が巻線ケース本体に係止されたことを特徴とする、巻線機能を具えた受信器。
【請求項１０】
請求項９記載の巻線機能を具えた受信器において、巻線ケース本体に軸柱が形成され、該軸柱に割り溝が設けられて渦形バネが接続されたことを特徴とする、巻線機能を具えた受信器。
【請求項１１】
請求項１記載の巻線機能を具えた受信器において、巻線装置の巻線カバー上面に少なくとも一つの溝が環状に設けられ、巻線ケース本体の巻線カバーに対応する一側に位置制限溝が設けられ、その内部に活動可能なビーズが設けられ、ビーズが位置制限溝と溝内で転がることにより、巻線装置の巻線カバーが回転する時の定位停止が達成されることを特徴とする、巻線機能を具えた受信器。
【考案の詳細な説明】
【技術分野】
【０００１】
本考案は巻線機能を具えた受信器に係り、特に巻線装置を具えた受信器に関する。
【背景技術】
【０００２】
テクノロジー時代の目覚ましい発展に伴い、パーソナルコンピュータは徐々に無線化、軽量化、薄型化、コンパクト化の方向に発展している。無線リモートコントロールのスマート設計は現代テクノロジー生活の製品であって、伝統的な有線のコンピュータ設備例えばマウス、キーボード等は往々にして卓上の事物による牽制を受けて使用者の操作に不都合をもたらすため、現在、コンピュータ周辺設備はいずれも無線の伝送方式へと発展して使用者の利用に便利なものとなっている。
【０００３】
特許文献１及び２には、プラグと受信器が一体とされ、受信器がプラグによりコンピュータの対応するソケットに挿入される技術が提示されているが、この実施方式には問題があり、受信器の放置位置はコンピュータに設けられた受信器を挿入するためのソケットの位置に限られ、無線信号の伝送に対しては、受信器の位置が信号受信に不利である時に受信器の信号受信位置を調整できず、信号受信の不良をもたらし、使用者の操作に相当に不便であり、また、挿入の位置空間に関しても、コンピュータ放置環境空間及び構造が受信器の挿入を行なえない場合、弾性的に受信器の挿入位置を調整できず、不適当な挿入空間は衝突による受信器の毀損をもたらしやすい。
【０００４】
ゆえに、上述の周知の製品に発生する各種の欠点を鑑み、本考案はその改善のために機能を向上した一種の巻線機能を具えた受信器を提供するものである。
【０００５】
【特許文献１】台湾実用新案公報公告第５１０５４４号明細書
【特許文献２】台湾実用新案公報公告第５５１５５３号明細書
【考案の開示】
【考案が解決しようとする課題】
【０００６】
本考案の主要な目的は、受信器の伝送線長さを調整でき、これにより受信器を最良の無線信号受信位置に調整でき、よって無線信号の伝送が容易でなくなり減衰する現象の発生を現象できる、一種の巻線機能を具えた受信器を提供することにある。
【０００７】
本考案の別の目的は、伝送線長さを調整でき、これにより受信器が環境空間に挿入しにくい問題を改善する、一種の巻線機能を具えた受信器を提供することにある。
【課題を解決するための手段】
【０００８】
請求項１の考案は、回路板とプラグを具え、該回路板が無線信号を受信しそれを転送する回路で構成され、該プラグは信号伝送線を通して該回路板に接続され、無線信号をプラグに接続された受信側に転送する、受信器と、
巻線ケース本体を具え、その内部に巻線カバーが設けられ、該巻線カバー内に渦形バネが収容され、該受信器の信号伝送線が巻線カバーの外周表面に繞設された、巻線装置と、  を具え、該巻線装置が該信号伝送線を収納することにより、信号伝送線の長さを調整して受信器の放置位置を調整できることを特徴とする、巻線機能を具えた受信器としている。
請求項２の考案は、請求項１記載の巻線機能を具えた受信器において、受信器がケースを具え、該ケースが第１ケースと第２ケースが係合されてなることを特徴とする、巻線機能を具えた受信器としている。
請求項３の考案は、請求項１記載の巻線機能を具えた受信器において、プラグがＵＳＢプラグとされたことを特徴とする、巻線機能を具えた受信器としている。
請求項４の考案は、請求項１記載の巻線機能を具えた受信器において、プラグがＰＳ／２プラグとされたことを特徴とする、巻線機能を具えた受信器としている。
請求項５の考案は、請求項１記載の巻線機能を具えた受信器において、プラグがＩＥＥＥ１３９４プラグとされたことを特徴とする、巻線機能を具えた受信器としている。
請求項６の考案は、請求項１記載の巻線機能を具えた受信器において、巻線ケース本体が第１半部と第２半部で構成されたことを特徴とする、巻線機能を具えた受信器としている。
請求項７の考案は、請求項１記載の巻線機能を具えた受信器において、巻線ケース本体の両側に信号伝送線の両端を引き出すための線孔が設けられたことを特徴とする、巻線機能を具えた受信器としている。
請求項８の考案は、請求項１記載の巻線機能を具えた受信器において、巻線ケース本体の外周に切欠きが形成され、信号伝送線がこの切欠きを通過して巻線カバーの外周に繞設されることを特徴とする、巻線機能を具えた受信器としている。
請求項９の考案は、請求項１記載の巻線機能を具えた受信器において、渦形バネの一端が巻線ケース本体に係止されたことを特徴とする、巻線機能を具えた受信器としている。
請求項１０の考案は、請求項９記載の巻線機能を具えた受信器において、巻線ケース本体に軸柱が形成され、該軸柱に割り溝が設けられて渦形バネが接続されたことを特徴とする、巻線機能を具えた受信器としている。
請求項１１の考案は、請求項１記載の巻線機能を具えた受信器において、巻線装置の巻線カバー上面に少なくとも一つの溝が環状に設けられ、巻線ケース本体の巻線カバーに対応する一側に位置制限溝が設けられ、その内部に活動可能なビーズが設けられ、ビーズが位置制限溝と溝内で転がることにより、巻線装置の巻線カバーが回転する時の定位停止が達成されることを特徴とする、巻線機能を具えた受信器としている。
【考案の効果】
【０００９】
本考案の巻線機能を具えた受信器は、受信器が無線信号を受信しにくい時に、信号伝送線の長さを調節することで、受信器を無線信号を受信するのに最適の位置に調整することができ、無線信号が伝送されにくく減衰する現象の発生を減らすことができる。さらに本考案は周知の技術における、環境空間及び構造が受信器を挿入できず、弾性的に受信器の挿入位置を調整できず、衝突により受信器が毀損する現象を克服する。
【考案を実施するための最良の形態】
【００１０】
本考案の巻線機能を具えた受信器は、図１、２、３に示されるように、少なくとも一つの受信器１及び巻線装置２を具えている。そのうち、受信器１はケース１１を具え、それは第１ケース１１１と第２ケース１１２が係合して構成され、並びにケース１１内に収容室が形成され、該収容室は回路板１２を収容し、該回路板１２は無線信号を受信できるアンテナモジュール及び前述の無線信号を復調し並びに転送する回路で構成され、且つ該回路板１２は信号伝送線１３を通してプラグ１４に接続され、これにより無線信号はプラグ１４に接続された受信側に伝送される。且つプラグ１４は本実施例では、ＵＳＢ、ＰＳ／２、ＩＥＥＥ１３９４等、通信ポート接続方式のコネクタとされ、受信側は本実施例ではコンピュータとされる。該巻線装置２は、巻線装置本体２１を具え、該巻線装置２１の内部に巻線カバー２２が設けられ、該巻線カバー２２内に渦形バネ２３が収容されている。
【００１１】
該巻線ケース本体２１は第１半部２１１及び第２半部２１２で構成され、第１半部２１１の中間に軸柱２１３が凸設され、軸柱２１３に割り溝２１３１が設けられ、並びに渦形バネ２３及び巻線カバー２２が該軸柱２１３に枢設され、割り溝２１３１にネジ孔２１３２が形成され、第１半部２１１及び第２半部２１２の両側に間隔をあけて凸部２１１４、２１２４が設けられ、第１半部２１１と第２半部２１２が係合後に、巻線ケース本体２１の両側に線孔が設けられ、上述の信号伝送線１３の両端がそれぞれ引き出され、該第２半部２１２内面中間に貫通孔２１２１が設けられてネジ部品３が通されて第１半部２１１のネジ孔２１３２と螺合され、該貫通孔２１２１の一側に条状の位置制限溝２１２２が設けられ、並びに活動可能なビーズ２４を収容し、該渦形バネ２３の内側に係止端２３１が設けられて第１半部２１１の軸柱２１３の割り溝２１３１に係止され一体とされている。
【００１２】
該巻線カバー２２内は渦形バネ２３の収容に供され、その外周に切欠き２２２が形成され、信号伝送線１３が該切欠き２２２を通過し、巻線カバー２２の外周に繞設され、巻線カバー２２にあって第２半部２１２の内面に対向する上面に貫通孔２２１が設けられて軸柱２１３に枢設され、貫通孔２２１に隣接する周囲に環状に少なくとも一つの溝２２３が設けられ、該溝２２３の斜め方向に近接するように切欠き２２４が設けられ、該切欠き２２４に近接するように円弧形案内溝２２５が設けられ、且つそれが溝２２３の末端に近接し、これにより、第１半部２１１と第２半部２１２が係合する時、ビーズ２４がちょうど位置制限溝２１２２及び巻線カバー２２の溝２２３内に位置し、巻線装置２の巻線カバー２２回転時に定位停止の効果を達成する。
【００１３】
さらに図１、３に示されるように、信号伝送線１３の両端の受信器１及びプラグ１４がそれぞれ両側に向けて引き出される時、巻線カバー２２及び渦形バネ２３は逆時計周りに回転し、溝２２３に位置するビーズ２４は円弧形案内溝２２５に向けて回転し、図４に示されるように、ビーズ２４が切欠き２２４内に移動して係合作用を形成すると、巻線カバー２２は回転を停止し、定位効果を発生する。図５に示されるように、続けて両側に引き出す時は、ただ信号伝送線１３の両端を少し引っ張れば、ビーズ２４が切欠き２２４より溝２２３へと転がるので、更に続けて上述の動作を行なえばよい。図６に示されるように、ビーズ２４が切欠き２２４に位置する時、信号伝送線１３を巻回したければ、ただ信号伝送線１３を引っ張ってから開放すれば、巻線カバー２２が渦形バネ２３の発生する弾性変形により時計周りに回転し、ビーズ２４が溝２２３に進入し逆時計周りに回転し、これにより信号伝送線１３が巻回され、こうして、巻線装置２が信号伝送線１３を引き出す或いは巻回できるものとされ、信号伝送線１３の長さ調整が行なわれる。ゆえに、受信器１が無線信号を受信しにくい時に、信号伝送線１３の長さを調節することで、受信器１を無線信号を受信するのに最適の位置に調整することができ、無線信号が伝送されにくく減衰する現象の発生を減らすことができる。さらに本考案は周知の技術における、環境空間及び構造が受信器１を挿入できず、弾性的に受信器１の挿入位置を調整できず、衝突により受信器１が毀損する現象を克服する。
【図面の簡単な説明】
【００１４】
【図１】本考案の立体分解図である。
【図２】本考案の立体組合せ図である。
【図３】本考案の信号伝送線を外向きに引き出す動作表示図である。
【図４】本考案の信号伝送線が外向きに引き出された後に所定位置で停止する動作表示図である。
【図５】本考案の信号伝送線が続けて引き出される動作表示図である。
【図６】本考案の信号伝送線の巻回の動作表示図である。
【符号の説明】
【００１５】
１  受信器          ２１２４  凸部
１１  ケース        ２１３  軸柱
１１１  第１ケース  ２１３１  割り溝
１１２  第２ケース  ２１３２  ネジ孔
１２  回路板        ２２  巻線カバー
１３  信号伝送線    ２２１  貫通孔
１４  プラグ        ２２２  切欠き
２  巻線装置        ２２３  溝
２１  巻線ケース本体  ２２４  切欠き
２１１  第１半部      ２２５  円弧形案内溝
２１１４  凸部        ２３  渦形バネ
２１２  第２半部      ２３１  係止端
２１２１  貫通孔      ２４  ビーズ
２１２２  位置制限溝  ３  ネジ部品
【図１】
0003110632.tif 000003
【図２】
0003110632.tif 000004
【図３】
0003110632.tif 000005
【図４】
0003110632.tif 000006
【図５】
0003110632.tif 000007
【図６】
0003110632.tif 000008